(57)【要約】カラー表示装置(10)は、内部に、長手方向に異なる色材料の蛍光体層の複数の領域(4R,4G,4B)が形成されると共に放電ガスが封入され、長手方向に複数の発光点をそれぞれ有する複数のガス放電管(11)が並置され、複数のガス放電管の表示面側に複数の領域に対応して複数対の表示電極(2)が配置され、複数のガス放電管の背面側に複数の信号電極(3)が配置されている。複数の領域は、各組が異なる色材料の蛍光体層の領域からなる複数組の領域を形成する。複数対の表示電極の各対の表示電極は、複数のガス放電管における同じ色材料の蛍光体層の領域に対応付けて配置されている。【選択図】図４
2007148389.tif 000002
【特許請求の範囲】
【請求項１】
内部に、長手方向に異なる色材料の蛍光体層の複数の領域が形成されると共に放電ガスが封入され、長手方向に複数の発光点をそれぞれ有する複数のガス放電管が並置され、前記複数のガス放電管の表示面側に前記複数の領域に対応して複数対の表示電極が配置され、前記複数のガス放電管の背面側に複数の信号電極が配置されたカラー表示装置であって、
前記複数の領域は、各組が異なる色材料の蛍光体層の領域からなる複数組の領域を形成し、
前記複数対の表示電極の各対の表示電極は、前記複数のガス放電管における同じ色材料の蛍光体層の領域に対応付けて配置されていることを特徴とする、表示装置。
【請求項２】
前記蛍光体層の複数の領域の中の１つの色材料の蛍光体層の領域に対応して設けられた前記複数対の表示電極の中の表示電極は、前記蛍光体層の複数の領域の中の別の色材料の蛍光体層の領域に対応して設けられた前記複数対の表示電極の中の表示電極より大きい幅を有することを特徴とする、請求項１に記載の表示装置。
【請求項３】
前記蛍光体層の複数の領域の中の１つの色材料の蛍光体層の領域は、前記蛍光体層の複数の領域の中の別の色材料の蛍光体層の領域より大きい寸法を有することを特徴とする、請求項１または２に記載の表示装置。
【請求項４】
さらに、リセット期間において、前記複数対の表示電極にリセット電圧を印加する駆動回路を具え、
前記蛍光体層の複数の領域の中の１つの色材料の蛍光体層の領域に対応して設けられた前記複数対の表示電極の中の表示電極に印加されるリセット電圧は、前記蛍光体層の複数の領域の中の別の色材料の蛍光体層の領域に対応して設けられた前記複数対の表示電極の中の表示電極に印加されるリセット電圧より大きいことを特徴とする、請求項１乃至３のいずれかに記載の表示装置。
【請求項５】
さらに、アドレス期間において、前記複数対の表示電極の各対の一方の表示電極に走査電圧パルスを印加する駆動回路を具え、
前記蛍光体層の複数の領域の中の１つの色材料の蛍光体層の領域に対応して設けられた前記複数対の表示電極の中の各対の一方の表示電極に印加される走査電圧パルスは、前記蛍光体層の複数の領域の中の別の色材料の蛍光体層の領域に対応して設けられた前記複数対の表示電極の中の各対の一方の表示電極に印加される走査電圧パルスと異なることを特徴とする、請求項１乃至４のいずれかに記載の表示装置。
【請求項６】
さらに、アドレス期間において、前記複数対の表示電極の各対の一方の表示電極に走査電圧パルスを印加する駆動回路を具え、
前記蛍光体層の複数の領域の中の１つの色材料の蛍光体層の領域に対応して設けられた前記複数対の表示電極の中の各対の一方の表示電極に印加される走査電圧パルスの幅は、前記蛍光体層の複数の領域の中の別の色材料の蛍光体層の領域に対応して設けられた前記複数対の表示電極の中の各対の一方の表示電極に印加される走査電圧パルスの幅より大きいことを特徴とする、請求項１乃至４のいずれかに記載の表示装置。
【請求項７】
さらに、アドレス期間において、前記複数対の表示電極の各対の一方の表示電極に走査電圧パルスを印加する駆動回路を具え、
前記蛍光体層の複数の領域の中の１つの色材料の蛍光体層の領域に対応して設けられた前記複数対の表示電極の中の各対の一方の表示電極に印加される走査電圧パルスの高さは、前記蛍光体層の複数の領域の中の別の色材料の蛍光体層の領域に対応して設けられた前記複数対の表示電極の中の各対の一方の表示電極に印加される走査電圧パルスの高さより大きいことを特徴とする、請求項１乃至４のいずれかに記載の表示装置。
【請求項８】
さらに、アドレス期間において、前記複数対の表示電極の各対の一方の表示電極に走査電圧パルスを印加する駆動回路を具え、
アドレス期間において、前記蛍光体層の複数の領域の中の緑色の材料の蛍光体層の領域に対応して設けられた前記複数対の表示電極の中の各対の一方の表示電極に印加される走査電圧パルスは、前記蛍光体層の複数の領域の中の他の色の材料の蛍光体層の領域に対応して設けられた前記複数対の表示電極の中の各対の一方の表示電極に印加される走査電圧パルスより先に印加されることを特徴とする、請求項１乃至４のいずれかに記載の表示装置。
【請求項９】
前記１つの色材料が青色の材料であり、前記別の色材料が赤色の材料であることを特徴とする、請求項２または３に記載の表示装置。
【請求項１０】
前記１つの色材料が緑色の材料であり、前記別の色材料が赤色の材料であることを特徴とする、請求項６または７に記載の表示装置。
【請求項１１】
内部に、長手方向に異なる色材料の蛍光体層の複数の領域が形成されると共に放電ガスが封入され、長手方向に複数の発光点をそれぞれ有する複数のガス放電管が並置され、前記複数のガス放電管の表示面側に前記複数の領域に対応して複数対の表示電極が配置され、前記複数のガス放電管の背面側に複数の信号電極が配置されたカラー表示装置において、前記複数対の表示電極を駆動する方法であって、
前記複数の領域は、各組が異なる色材料の蛍光体層の領域からなる複数組の領域を形成し、
前記複数対の表示電極の各対の表示電極は、前記複数のガス放電管における同じ色材料の蛍光体層の領域に対応付けて配置されており、
リセット期間において、前記複数対の表示電極にリセット電圧を印加し、その際、前記蛍光体層の複数の領域の中の１つの色材料の蛍光体層の領域に対応して設けられた前記複数対の表示電極の中の表示電極に印加されるリセット電圧は、前記蛍光体層の複数の領域の中の別の色材料の蛍光体層の領域に対応して設けられた前記複数対の表示電極の中の表示電極に印加されるリセット電圧より大きいことを特徴とする、駆動方法。
【請求項１２】
内部に、長手方向に異なる色材料の蛍光体層の複数の領域が形成されると共に放電ガスが封入され、長手方向に複数の発光点をそれぞれ有する複数のガス放電管が並置され、前記複数のガス放電管の表示面側に前記複数の領域に対応して複数対の表示電極が配置され、前記複数のガス放電管の背面側に複数の信号電極が配置されたカラー表示装置において、前記複数対の表示電極を駆動する方法であって、
前記複数の領域は、各組が異なる色材料の蛍光体層の領域からなる複数組の領域を形成し、
前記複数対の表示電極の各対の表示電極は、前記複数のガス放電管における同じ色材料の蛍光体層の領域に対応付けて配置されており、
アドレス期間において、前記複数対の表示電極の各対の一方の表示電極に走査電圧パルスを印加し、その際、前記蛍光体層の複数の領域の中の１つの色材料の蛍光体層の領域に対応して設けられた前記複数対の表示電極の中の各対の一方の表示電極に印加される走査電圧パルスは、前記蛍光体層の複数の領域の中の別の色材料の蛍光体層の領域に対応して設けられた前記複数対の表示電極の中の各対の一方の表示電極に印加される走査電圧パルスと異なることを特徴とする、駆動方法。
【請求項１３】
内部に、長手方向に異なる色材料の蛍光体層の複数の領域が形成されると共に放電ガスが封入され、長手方向に複数の発光点をそれぞれ有する複数のガス放電管が並置され、前記複数のガス放電管の表示面側に前記複数の領域に対応して複数対の表示電極が配置され、前記複数のガス放電管の背面側に複数の信号電極が配置されたカラー表示装置において、前記複数対の表示電極を駆動する方法であって、
前記複数の領域は、各組が異なる色材料の蛍光体層の領域からなる複数組の領域を形成し、
前記複数対の表示電極の各対の表示電極は、前記複数のガス放電管における同じ色材料の蛍光体層の領域に対応付けて配置されており、
アドレス期間において、前記複数対の表示電極の各対の一方の表示電極に走査電圧パルスを印加し、その際、前記蛍光体層の複数の領域の中の緑色の材料の蛍光体層の領域に対応して設けられた前記複数対の表示電極の中の各対の一方の表示電極に印加される走査電圧パルスは、前記蛍光体層の複数の領域の中の他の色の材料の蛍光体層の領域に対応して設けられた前記複数対の表示電極の中の各対の一方の表示電極に印加される走査電圧パルスより先に印加されることを特徴とする、駆動方法。
【発明の詳細な説明】
【技術分野】
【０００１】
本発明は、カラー蛍光体層を有する表示装置に関し、特に、異なる材料の蛍光体層を有する放電発光素子からなる表示装置の駆動に関する。
【背景技術】
【０００２】
放電発光素子を用いた薄型のカラー表示装置として、プラズマ・チューブ・アレイおよびプラズマ・ディスプレイ・パネル（ＰＤＰ）が知られている（特許文献１）。
【特許文献１】特開２００４−１７８８５４号公報
【０００３】
特開２０００−２１５８１３号公報（特許文献２）には、交流型プラズマ・ディスプレイ・パネルが記載されている。そのプラズマ・ディスプレイ・パネルの第１基板は、ガラス基板と、基板の表面上に形成された異なる幅の複数の帯状アドレス電極と、アドレス電極及び表面を覆うように形成されたオーバーグレーズ層と、各アドレス電極上方に形成された赤緑青色発光の蛍光体とを備える。その蛍光体は、各色蛍光体を除く放電セルの構成要素を材料および寸法とも各色共通とした場合、発光強度バランスは、青が最も弱く緑が最も強いような歪み方を示す。それによって、発光色毎に異なる放電セルの放電特性、および各発光色の強度バランスの歪みに起因した表示発光の不具合が改善される。
【特許文献２】特開２０００−２１５８１３号公報
【０００４】
特開２００５−１２９５０３号公報（特許文献３）には、カラー・プラズマ・ディスプレイ・パネルが記載されている。そのカラー・プラズマ・ディスプレイ・パネルは、複数のディスプレイ・セルを有し、各ディスプレイ・セルは、密閉したプラズマ放電空間および密閉したプラズマ放電空間に設置され、厚さを有する蛍光層を含む。複数のディスプレイ・セルは、少なくとも１つのディスプレイ・セルがその他のディスプレイ・セルの蛍光層と異なる厚さを有する。それによって、赤色、緑色および青色ディスプレイ・セルは、同じ駆動電圧範囲を有する。
【特許文献３】特開２００５−１２９５０３号公報
【発明の開示】
【発明が解決しようとする課題】
【０００５】
異なる材料の蛍光体層を有する放電発光素子において、蛍光体の材料に応じて放電電圧の特性が異なり、それによって駆動マージンが小さくなる。特に、蛍光体層を介した放電電圧の特性は、蛍光体の材料に応じて大きく異なり、同じ電圧を印加しても、蛍光体の材料によって放電開始電圧が異なり、共通駆動マージンが小さい。【０００６】
特に、それぞれ３原色Ｒ、Ｇ、Ｂの蛍光体層を内部に形成した３種類のガス放電管（プラズマ・チューブ）を多数並設して構成したプラズマ・チューブ・アレイでは、３原色の蛍光体層は、それぞれの物性的特性、例えば帯電特性が異なっているので、３種類のガス放電管の面放電および対向放電の放電開始電圧が異なる。それによって表示セル選択のためのアドレス放電において、同じ走査電圧パルスおよびアドレス・パルスの波高値および幅を用いると、３種類の色のガス放電管の間の放電のバラツキが大きくなり、動作電圧マージンが狭くなる。【０００７】
発明者は、プラズマ・チューブ・アレイの各ガス放電管の内部に長手方向に複数組の３原色の蛍光体層の領域を形成し、同じ行の同じ色のセルに対して共通の表示電極対を設け、それによって、各色のセルに対して異なる駆動電圧を印加することができる、と認識した。【０００８】
本発明の目的は、複数の蛍光体層を有する放電発光素子からなる表示装置においてカラー蛍光体の材料に応じた放電電圧特性のばらつきを修正することである。【０００９】
本発明の別の目的は、複数の蛍光体層を有する表示装置において駆動マージンを大きくすることである。
【課題を解決するための手段】
【００１０】
本発明の特徴によれば、カラー表示装置は、内部に、長手方向に異なる色材料の蛍光体層の複数の領域が形成されると共に放電ガスが封入され、長手方向に複数の発光点をそれぞれ有する複数のガス放電管が並置され、前記複数のガス放電管の表示面側に前記複数の領域に対応して複数対の表示電極が配置され、前記複数のガス放電管の背面側に複数の信号電極が配置されている。前記複数の領域は、各組が異なる色材料の蛍光体層の領域からなる複数組の領域を形成する。前記複数対の表示電極の各対の表示電極は、前記複数のガス放電管における同じ色材料の蛍光体層の領域に対応付けて配置されている。【００１１】
本発明は、また、上述のカラー表示装置における表示電極の駆動方法に関する。
【発明の効果】
【００１２】
本発明によれば、複数の蛍光体層を有する放電発光素子からなる表示装置においてカラー蛍光体の材料に応じた放電電圧特性のばらつきが修正され、複数の蛍光体層を有する表示装置において駆動マージンを大きくすることができる。
【発明を実施するための最良の形態】
【００１３】
本発明の実施形態を、図面を参照して説明する。図面において、同様の構成要素には同じ参照番号が付されている。【００１４】
図１は、本発明の実施形態において用いられるプラズマ・チューブまたはガス放電管１１のアレイ３００の概略的な部分的構造を例示している。図１において、プラズマ・チューブ・アレイ（ＰＴＡ）３００は、互いに平行に配置された透明な細長いカラー・プラズマ・チューブ１１のアレイ、透明な前面側の支持シートまたは薄い基板からなる前面側支持基板３１、透明なまたは不透明な背面側の支持シートまたは薄い基板からなる背面側支持基板３２、複数の表示電極対または主電極対２、および複数の信号電極またはアドレス電極３を含んでいる。図１において、Ｘは表示電極２のうちの維持電極またはＸ電極を示し、Ｙは表示電極２のうちの走査電極またはＹ電極を示している。支持基板３１および３２は、例えば可撓性のＰＥＴフィルム、ガラス等で作られている。【００１５】
細長いプラズマ・チューブ１１の細管２０は、例えばホウケイ酸ガラス、パイレックス（登録商標）、ソーダガラス、石英ガラスまたはゼロデュアのような透明な絶縁体で作製され、典型的には、管径が２ｍｍ以下であり、例えば、管の断面の幅約１ｍｍおよび高さ約０．５５ｍｍであり、長さが３００ｍｍ以上であり、管壁の厚さ約０．１ｍｍの寸法を有する。【００１６】
プラズマ・チューブ１１の各々の内部の背面側には、複数組の赤、緑、青（Ｒ、Ｇ、Ｂ）の蛍光体層４を形成した支持部材６がそれぞれ挿入されて配置され、放電ガスが導入されて、両端が封止されている。プラズマ・チューブ１１の内面にはＭｇＯからなる電子放出膜５が形成されている。蛍光体層Ｒ、Ｇ、Ｂは、典型的には、約１０μｍ〜約３０μｍの範囲の厚さを有する。【００１７】
支持部材６は、プラズマ・チューブ１１と同様に、例えばホウケイ酸ガラス、パイレックス（登録商標）、石英ガラス、ソーダガラス、鉛ガラスのような絶縁体で作製され、この支持部材６上に蛍光体層４が形成されている。支持部材６は、細管２０の外部で、支持部材６上に蛍光体ペーストを塗布し、それを焼成して支持部材６上に蛍光体層４を形成した後、その支持部材６を細管２０内に挿入して配置することができる。そのような蛍光体ペーストとして、当該分野で公知の各種の蛍光体ペーストを利用することができる。【００１８】
電子放出膜５は、放電ガスとの衝突により荷電粒子を発生する。蛍光体層４は、表示電極対２に電圧を印加することにより励起された管内に封入された放電ガスが脱励起することによって発生する真空紫外光によって可視光を発生する。【００１９】
図２Ａは、透明な複数の表示電極対２が形成された前面側支持基板３１を示している。図２Ｂは、複数の信号電極３が形成された背面側支持基板３２を示している。【００２０】
信号電極３は、背面側支持基板３２の前面すなわち内面上に形成され、プラズマ・チューブ１１の長手方向に沿って設けられている。隣接する信号電極３間のピッチは、プラズマ・チューブ１１の各々の幅とほぼ同じであり、例えば１ｍｍである。複数の表示電極対２は、周知の形態で前面側支持基板３１の背面すなわち内面上に形成され、信号電極３と直角に交差する方向に配置されている。表示電極２の幅は例えば０．７５ｍｍであり、各１対の表示電極２の端縁間の距離は例えば０．４ｍｍである。表示電極対２と隣の表示電極対２の間には、非放電領域となる距離または非放電ギャップが確保され、その距離は例えば１．１ｍｍである。【００２１】
信号電極３と表示電極対２は、プラズマ・チューブ・アレイ３００の組み立て時にプラズマ・チューブ１１の下側の外周面部分と上側の外周面部分にそれぞれ密着するように接触させる。その密着性を良くするために、それぞれの電極とプラズマ・チューブ面との間に接着剤を介在させて接着してもよい。【００２２】
このプラズマ・チューブ・アレイ３００を正面から平面的にみた場合、信号電極３と表示電極対２との交差部が単位発光領域となる。表示は、表示電極対２のいずれか１本を走査電極Ｙとして用い、その走査電極Ｙと信号電極３との交差部で選択放電を発生させて発光領域を選択し、その放電により当該領域の管内面に形成された壁電荷を利用して、表示電極対２で表示放電を発生させ、蛍光体層を発光させることによって行う。選択放電は、垂直方向に対向する走査Ｙ電極と信号電極３との間のプラズマ・チューブ１１内で発生される対向放電である。表示放電は、平面上に平行に配置された１対の表示電極間のプラズマ・チューブ１１内で発生される面放電である。【００２３】
表示電極対２と信号電極３は、電圧を印加することによって管内部の放電ガスに放電を発生させることが可能である。図１では、プラズマ・チューブ１１の電極構造は、１つの発光部位に３つの電極が配置された構成であり、表示電極対２によって表示放電が発生される構造であるが、これに限定されるものではなく、表示電極２と信号電極３の間で表示放電が発生される構造であってもよい。即ち、表示電極対２を１本とし、この表示電極２を走査電極として用いて信号電極３との間に選択放電と表示放電（対向放電）を発生させる形式の電極構造であってもよい。【００２４】
図３は、プラズマ・チューブ・アレイ３００の管の長手方向に垂直な断面の構造を示している。プラズマ・チューブ・アレイ３００において、プラズマ・チューブ１１は、その中の背面側の支持部材６の内面に蛍光体層４Ｒ、４Ｇおよび４Ｂが形成されており、断面幅１．０ｍｍ、断面高さ０．５５ｍｍ、管壁の厚さ０．１ｍｍ、および長さ１ｍ〜３ｍの細管からなる。一実施例として、赤の蛍光体４Ｒはイットリア系（（Ｙ．Ｇａ）ＢＯ3：Ｅｕ）の材料を含み、緑の蛍光体４Ｇはジンクシリケート系（Ｚｎ2ＳｉＯ4：Ｍｎ）の材料を含み、青の蛍光体４ＢはＢＡＭ系（ＢａＭｇＡｌ10Ｏ17：Ｅｕ）の材料を含む。【００２５】
図３において、プラズマ・チューブ１１の底面には、粘着剤層３４を介して背面側支持基板３２が接着されている。プラズマ・チューブ１１の底面に、および背面側支持基板３２の上面に信号電極３が配置されている。【００２６】
図４は、本発明の実施形態によるプラズマ・チューブ・アレイ３０２の正面から見た支持部材６における３原色の蛍光体層４の領域Ｒ，Ｇ，Ｂおよび表示電極対２の配置を示している。【００２７】
複数組の蛍光体層４の領域Ｒ，Ｇ，Ｂが、管の長手方向に支持部材６の内面に循環的な配列で配置されている。蛍光体層４の１組の３つの領域Ｒ，Ｇ，Ｂが、破線で囲まれた１つのピクセル８を形成する。この場合、蛍光体層４の領域Ｒ，Ｇ，Ｂは、管長手方向にそれぞれ等しい長さＬを有する。【００２８】
ｎ行のピクセルｐ１〜ｐｎに対応する蛍光体層４の３ｎ個またはｎ組の領域Ｒ，Ｇ，Ｂに対応して前面支持基板３１の内面に３ｎ対のまたはｎ組の表示電極対２ （Ｘ１ｒ，Ｙ１ｒ）、（Ｘ１ｇ，Ｙ１ｇ）、（Ｘ１ｂ，Ｙ１ｂ）、（Ｘ２ｒ，Ｙ２ｒ）、．．．（Ｘｊｒ，Ｙｊｒ）、（Ｘｊｇ，Ｙｊｇ）、（Ｘｊｂ，Ｙｊｂ）、．．．（Ｘｎｂ，Ｙｂ）が配置されている。赤の蛍光体層４Ｒの領域用の表示電極対（Ｘｊｒ，Ｙｊｒ）の電極幅Ｗｒは、緑および青の蛍光体層４Ｇおよび４Ｂの領域用の表示電極対（Ｘｊｇ，Ｙｊｇ）および（Ｘｊｂ，Ｙｊｂ）の電極幅ＷｇおよびＷｂより小さい。緑の蛍光体層４Ｇの領域用の表示電極対（Ｘｊｇ，Ｙｊｇ）の電極幅Ｗｇは、青の蛍光体層４Ｂの領域用の表示電極対（Ｘｊｂ，Ｙｊｂ）の電極幅Ｗｂと等しいかまたはそれより小さい。【００２９】
図５は、本発明の別の実施形態によるプラズマ・チューブ・アレイ３０４の正面から見た支持部材６における３原色の蛍光体層４の領域Ｒ，Ｇ，Ｂおよび表示電極対２の配置を示している。【００３０】
複数組の蛍光体層４の領域Ｒ，Ｇ，Ｂが、管の長手方向に支持部材６の内面に循環的な配列で配置されている。この場合、蛍光体層４の領域Ｒ，Ｇ，Ｂは、管長手方向にＬｒ＜Ｌｇ＜Ｌｂという関係の異なる長さＬｒ、ＬｇおよびＬｂを有する。【００３１】
ｎ行のピクセルｐ１〜ｐｎに対応する蛍光体層４の３ｎ個またはｎ組のＲ，Ｇ，Ｂ領域に対応して前面支持基板３１の内面に３ｎ対のまたはｎ組の表示電極対２ （Ｘ１ｒ，Ｙ１ｒ）、（Ｘ１ｇ，Ｙ１ｇ）、（Ｘ１ｂ，Ｙ１ｂ）、．．．（Ｘｊｒ，Ｙｊｒ）、（Ｘｊｇ，Ｙｊｇ）、（Ｘｊｂ，Ｙｊｂ）、．．．（Ｘｎｂ，Ｙｂ）が配置されている。赤の蛍光体層４Ｒの領域用の表示電極対（Ｘｊｒ，Ｙｊｒ）の電極幅Ｗｒは、緑および青の蛍光体層４Ｇおよび４Ｂの領域用の表示電極対（Ｘｊｇ，Ｙｊｇ）および（Ｘｊｂ，Ｙｊｂ）の電極幅ＷｇおよびＷｂより小さい。緑の蛍光体層４Ｇの領域用の表示電極対（Ｘｊｇ，Ｙｊｇ）の電極幅Ｗｇは、蛍光体層４Ｂの領域用の表示電極対（Ｘｊｂ，Ｙｊｂ）の電極幅Ｗｂより小さい。【００３２】
図６は、本発明のさらに別の実施形態によるプラズマ・チューブ・アレイ３０６の正面から見た支持部材６における３原色の蛍光体層４の領域Ｒ，Ｇ，Ｂおよび表示電極対２の配置を示している。【００３３】
複数組の蛍光体層４の領域Ｒ，Ｇ，Ｂが、管の長手方向に支持部材６の内面に循環的な配列で配置されている。この場合、蛍光体層４の領域Ｒ，Ｇ，Ｂは、管長手方向にＬｒ＜Ｌｇ＝Ｌｂという関係の異なる長さＬｒ、ＬｇおよびＬｂを有する。【００３４】
ｎ行のピクセルｐ１〜ｐｎに対応する蛍光体層４の３ｎ個またはｎ組のＲ，Ｇ，Ｂ領域に対応して前面支持基板３１の内面に３ｎ対のまたはｎ組の表示電極対２ （Ｘ１ｒ，Ｙ１ｒ）、（Ｘ１ｇ，Ｙ１ｇ）、（Ｘ１ｂ，Ｙ１ｂ）、．．．（Ｘｊｒ，Ｙｊｒ）、（Ｘｊｇ，Ｙｊｇ）、（Ｘｊｂ，Ｙｊｂ）、．．．（Ｘｎｂ，Ｙｂ）が配置されている。赤の蛍光体層４Ｒの領域用の表示電極対（Ｘｊｒ，Ｙｊｒ）の電極幅Ｗｒは、緑および青の蛍光体層４Ｇおよび４Ｂの領域用の表示電極対（Ｘｊｇ，Ｙｊｇ）および（Ｘｊｂ，Ｙｊｂ）の電極幅ＷｇおよびＷｂより小さい。緑の蛍光体層４Ｇの領域用の表示電極対（Ｘｊｇ，Ｙｊｇ）の電極幅Ｗｇは、青の蛍光体層４Ｂの領域用の表示電極対（Ｘｊｂ，Ｙｊｂ）の電極幅Ｗｂと等しい。【００３５】
図７は、図４〜６のプラズマ・チューブ・アレイ３０２、３０４または３０６を有する表示装置１０のプラズマ・チューブ・アレイ３０２、３０４または３０６の背面に配置されたＸ電極ドライバ回路基板５００、Ｙ電極ドライバ回路７００、アドレス電極ドライバ回路（ＡＤ）４６、およびドライバ制御回路４２の電気的接続を示している。【００３６】
表示装置１０において、プラズマ・チューブ・アレイ３０２、３０４または３０６の３ｎ対の表示電極対２ （Ｘ１ｒ，Ｙ１ｒ）〜（Ｘｎｂ，Ｙｎｂ）のＸ電極Ｘｒ１〜Ｘｂｎは、前面支持基板３１の右辺からフレキシブル・ケーブル５００ＦＣを介してＸ電極ドライバ回路基板５００上のＸ電極用の維持電圧パルス回路５０に接続され、そのＹ電極Ｙｒ１〜Ｙｂｎは、前面支持基板３１の左辺からフレキシブル・ケーブル７０ＦＣを介してＹ電極ドライバ回路７００の走査パルス回路７０に接続される。Ｙ電極ドライバ回路７００のＹ電極高電圧回路基板６００上のＹ電極用の維持電圧パルス回路６０は、フレキシブル・ケーブルを介して走査パルス回路７０に接続される。プラズマ・チューブ・アレイ３００のｍ本の信号電極３ Ａ１〜Ａｍは、背面支持基板３２の底辺からフレキシブル・ケーブル４６ＦＣを介してアドレス・ドライバ回路４６に接続される。Ｘ電極ドライバ回路基板５００はさらにリセット回路（ＲＳＴ）５１を含んでいる。Ｙ高電圧回路基板６００はさらにリセット回路（ＲＳＴ）６１を含んでいる。ドライバ制御回路４２が、Ｘ電極ドライバ回路基板５００、Ｙ電極ドライバ回路７００のＹ電極高電圧回路基板６００およびアドレス・ドライバ回路４６に接続される。プラズマ・チューブ・アレイ３００の背面には、さらに、各回路４２、４６、５００および７００に電力を供給する電源（ＰＳ）４０が設けられている。【００３７】
次に、一般的なプラズマ・チューブ・アレイ型のＡＣ型ガス放電表示装置の駆動法の一例について説明する。１つのピクチャ（映像）は典型的には１フレーム期間で構成されており、インターレース型走査では１フレームが２つのフィールドで構成され、プログレッシブ型走査では１フレームが１つのフィールドで構成されている。また、通常のテレビジョン方式による動画表示のためには１秒間に３０フレームの表示が必要である。そこでこの種ガス放電表示装置１０による表示では、２値の発光制御によって階調を持ったカラー再現を行うために、典型的にはそのような１フィールドＦをｑ個のサブフィールドＳＦの集合に置き換える。しばしば、これらサブフィールドＳＦに順に２0，２1，２2，．．．２q-1等の異なる重みを付けて各サブフィールドＳＦの表示放電の回数を設定する。サブフィールド単位の発光／非発光の組合せでＲ，ＧおよびＢの各色毎にＮ（＝１＋２1＋２2＋．．．＋２q-1 ）段階の輝度設定を行うことができる。このようなフィールド構成に合わせてフィールド転送周期であるフィールド期間Ｔｆをｑ個のサブフィールド期間Ｔｓｆに分割し、各サブフィールドＳＦに１つのサブフィールド期間Ｔｓｆを割り当てる。さらに、サブフィールド期間Ｔｓｆを、初期化のためのリセット期間ＴＲ、アドレッシングのためのアドレス期間ＴＡ、および維持放電による発光のための表示期間ＴＳに分ける。典型的には、リセット期間ＴＲおよびアドレス期間ＴＡの長さが重みに係わらず一定であるのに対し、表示期間ＴＳにおけるパルス数は重みが大きいほど多く、表示期間ＴＳの長さは重みが大きいほど長い。この場合、サブフィールド期間Ｔｓｆの長さも、該当するサブフィールドＳＦの重みが大きいほど長い。【００３８】
図８は、１つのセルにおけるＡ電極Ａｉ、Ａ電極ＸｊｃおよびＹ電極Ｙｊｃの間の実効電圧を示している（ｃ＝ｒ、ｇまたはｂ）。アドレス放電は、Ａ電極とＹ電極の間の実効電圧｜Ｖａ｜+｜Ｖｙ｜と、Ｘ電極とＹ電極の間の実効電圧｜Ｖｘａ｜+｜Ｖｙ｜とによって発生する。Ａ電極とＹ電極の間の実効電圧｜Ｖａ｜+｜Ｖｙ｜によってＡ電極とＹ電極の間にトリガー放電が発生し、それによってＸ電極とＹ電極の間の放電が誘発される。【００３９】
本発明の実施形態の駆動法によれば、３原色の蛍光体層領域および表示電極対の構造上、それぞれの色毎のＹ電極およびＸ電極を互いに独立に制御でき、Ｙ電極に印加するリセット電圧パルスの高さおよび走査電圧パルスの幅および高さ、およびＸ電極に印加される電圧を異ならせることができる。従って、Ａ電極とＹ電極の間の電圧に加えて、Ｘ電極とＹ電極の間の電圧を高くるすことができ、従って放電確率が高くなる。【００４０】
図９は、本発明の実施形態による、表示装置１０における、Ｘ電極ドライバ回路基板５００、Ｙ電極ドライバ回路７００およびアドレス・ドライバ回路４２の出力駆動電圧波形の概略的な駆動シーケンスを例示している。なお、図示の波形は一例であり、振幅、極性およびタイミングを様々に変更することができる。【００４１】
リセット期間ＴＲ、アドレス期間ＴＡおよびサステイン期間ＴＳの順序は、ｑ個のサブフィールドＳＦにおいて同じであり、駆動シーケンスはサブフィールドＳＦ毎に繰り返される。各サブフィールドＳＦのリセット期間ＴＲにおいては、全ての表示電極（Ｘ１ｒ，Ｘ１ｇ，Ｘ１ｂ）〜（Ｘｎｒ，Ｘｎｇ，Ｘｎｂ）に対して負極性のパルスＰｒｘ１と正極性のパルスＰｒｘ２とを順に印加し、赤色セル用の表示電極Ｙ１ｒ〜Ｙｎｒに対してリセットに必要な正極性のパルスＰｒｙ１ｒと負極性のパルスＰｒｙ２ｒとを順に印加し、緑色セル用の表示電極Ｙ１ｇ〜Ｙｎｇに対してリセットに必要な正極性のパルスＰｒｙ１ｇと負極性のパルスＰｒｙ２ｇとを順に印加し、青色セル用の表示電極Ｙ１ｂ〜Ｙｎｂに対してリセットに必要な正極性のパルスＰｒｙ１ｂと負極性のパルスＰｒｙ２ｂとを順に印加する。パルスＰｒｘ１、Ｐｒｙ１ｒ、Ｐｒｙ１ｇ、Ｐｒｙ１ｂ、Ｐｒｙ２ｒ、Ｐｒｙ２ｇおよびＰｒｙ２ｂは、微小放電が生じる変化率で振幅が漸増するランプ波形または鈍波パルスである。【００４２】
最初に印加されるパルスＰｒｘ１およびＰｒｙ１ｒ、Ｐｒｙ１ｇおよびＰｒｙ１ｂは、前サブフィールドＳＦにおける発光／非発光に係わらず全ての放電セルにいったん同一極性の適度の壁電荷を生じさせるために印加される。引き続き適度の壁電荷が存在する放電セルにパルスＰｒｘ２およびＰｒｙ２ｒ、Ｐｒｙ２ｇおよびＰｒｙ２ｂを印加することにより、この壁電荷を維持パルスでは再放電しないレベル（消去状態）まで減少させるように調整する。セルに加わる駆動電圧は、表示電極ＸおよびＹに印加されるパルスの振幅の差を表す合成電圧である。赤のセルに対するパルスＰｒｙ１ｒの最大値Ｖｗｒ、緑のセルに対するパルスＰｒｙ１ｇの最大値Ｖｗｇおよび青のセルに対するパルスＰｒｙ１ｂの最大値Ｖｗｂは、一般的に、Ｖｗｒ＜Ｖｗｇ＜ＶｗｂまたはＶｗｒ＜Ｖｗｇ＝Ｖｗｂという関係を有する。例えば、Ｖｗｒ＝４００Ｖ、Ｖｗｇ＝５００Ｖ、Ｖｗｂ＝５５０Ｖである。これによって、各色のセルを適正にリセットできる。もちろん、これらの式は、蛍光体材料に依存し、蛍光体材料に応じて大小関係が異なっていてもよい。【００４３】
これに対して、通常のＹ電極ドライバ回路は、全て色のセルの全てのＹ電極に、リセット期間ＴＲに同じＰｒｙ１およびＰｒｙ２を印加し、アドレス期間ＴＡに同じ走査電圧パルス−Ｖｙを順次印加する。【００４４】
アドレス期間ＴＡにおいては、発光させる放電セルのみに放電維持に必要な壁電荷を形成する。全ての表示電極ＸおよびＹをそれぞれの所定電位にバイアスした状態で、異なる色の行選択期間（１行分のスキャン時間）毎に選択行に対応したＹ電極Ｙｊｒ，Ｙｊｇ，Ｙｊｂに負極性のスキャン・パルス−Ｖｙｒ、−Ｖｙｇおよび−Ｖｙｂをそれぞれ印加する。この行選択と同時にアドレス放電を生じさせるべき選択セルに対応したアドレス電極Ａｉのみにアドレス・パルスＶａを同時に印加する。つまり、ピクセル行ｊの選択電極行ｊｃ（ｃ＝ｒ、ｇまたはｂ）のｍ列分のサブフィールドデータＤｓｆに基づいてアドレス電極Ａ1〜Ａmの電位を走査ライン毎に２値制御する。これによって、選択セルでは表示電極Ｙｊｃとアドレス電極Ａｉとの間で放電管内にアドレス放電が生じる。そのアドレス放電によって書き込まれた表示データが放電管のセル内壁に壁電荷の形で記憶され、その後のサステイン・パルスの印加により表示電極Ｘ−Ｙ間の面放電が生じる。【００４５】
サステステイン期間ＴＳにおいては、最初に先のアドレス放電で生じた壁電荷と加算されて維持放電を発生する極性（図の例では正極性）のサステイン・パルスＰｓを印加する。その後、表示電極Ｘと表示電極Ｙとに対して交互にサステイン・パルスＰｓを印加する。サステイン・パルスＰｓの振幅は維持電圧Ｖｓである。サステイン・パルスＰｓの印加によって、所定の壁電荷が残存する放電セルにおいて面放電が生じる。サステイン・パルスＰｓの印加回数は、上述したようにサブフィールドＳＦの重みに対応する。なお、サステイン期間ＴＳ全体にわたって不要な対向放電を防止するために、アドレス電極Ａをサステイン・パルスＰｓと同極性の電圧Ｖａｓにバイアスする。【００４６】
図１０Ａ〜１０Ｄは、ぞれぞれ、図９におけるアドレス電極ドライバ回路４６のＡ電極Ａｉ用のアドレス電圧パルス、およびＹ電極ドライバ回路７００のＹ電極Ｙｊｒ，Ｙｊｇ，Ｙｊｂ用の走査電圧パルス−Ｖｙｒ，−Ｖｙｇ，−Ｖｙｂの第１の例を示している。【００４７】
図１０Ａおよび１０Ｂに示されているように、先ず、アドレス電極Ａ１〜Ａｍにアドレス電圧パルスＶａｄｒが印加されている間に、ピクセルｐ１〜ｐｎの赤色セル用のＹ電極Ｙ１ｒ〜Ｙｎｒに走査電圧パルス−Ｖｙｒが順次印加される。図１０Ａおよび１０Ｃに示されているように、次いで、アドレス電極Ａ１〜Ａｍにアドレス電圧パルスＶａｄｇが印加されている間に、ピクセルｐ１〜ｐｎの緑色セル用のＹ電極Ｙ１ｇ〜Ｙｎｇに走査電圧パルス−Ｖｙｇが順次印加される。図１０Ａおよび１０Ｄに示されているように、次いで、アドレス電極Ａ１〜Ａｍにアドレス電圧パルスＶａｄｂが印加されている間に、ピクセルｐ１〜ｐｎの青色セル用のＹ電極Ｙ１ｂ〜Ｙｎｂに走査電圧パルス−Ｖｙｂが順次印加される。この場合、赤、緑、青用の走査電圧パルス−Ｖｙｒ，−Ｖｙｇ，−Ｖｙｂは、等しい高さＶｓｃを有する。対応する走査電圧パルス−Ｖｙｒ，−Ｖｙｇ，−Ｖｙｂは、それぞれ例えばＴｙｗｒ＜Ｔｙｗｂ＜Ｔｙｗｇの関係の異なるパルス幅Ｔｙｗｒ，Ｔｙｗｇ，Ｔｙｗｂを有する。アドレス電圧パルスＶａｄｒ，Ｖａｄｇ，Ｖａｄｂも、それぞれパルス幅Ｔｙｗｒ，Ｔｙｗｇ，Ｔｙｗｂを有する。例えば、−Ｖｙｒ＝−Ｖｙｇ＝−Ｖｙｂ＝−２９０Ｖ、Ｖｓｃ＝１２０Ｖ、Ｔｙｗｒ＝１μｓ、Ｔｙｗｇ＝１．６μｓ、Ｔｙｗｂ＝１．３μｓである。これによって、緑色のセルのアドレス放電確率を向上させることができる。【００４８】
図１１Ａ〜１１Ｄは、ぞれぞれ、図９におけるアドレス電極ドライバ回路４６のＡ電極Ａｉ用のアドレス電圧パルス、およびＹ電極ドライバ回路７００のＹ電極Ｙｊｒ，Ｙｊｇ，Ｙｊｂ用の走査電圧パルス−Ｖｙｒ，−Ｖｙｇ，−Ｖｙｂの第２の例を示している。【００４９】
図１１Ａおよび１１Ｂに示されているように、先ず、アドレス電極Ａ１〜Ａｍにアドレス電圧パルスＶａｄｒが印加されている間に、ピクセルｐ１〜ｐｎの赤色セル用のＹ電極Ｙ１ｒ〜Ｙｎｒに走査電圧パルス−Ｖｙｒが順次印加される。その間、Ｙ電極Ｙ１ｒ〜Ｙｎｒ中の残りの非選択電極には、負電位−Ｖｙｒ＋Ｖｓｃがバイアスされる。図１１Ａおよび１１Ｃに示されているように、次いで、アドレス電極Ａ１〜Ａｍにアドレス電圧パルスＶａｄｇが印加されている間に、ピクセルｐ１〜ｐｎの緑色セル用のＹ電極Ｙ１ｇ〜Ｙｎｇに走査電圧パルス−Ｖｙｇが順次印加される。その間、Ｙ電極Ｙ１ｇ〜Ｙｎｇ中の残りの電極には、負電位−Ｖｙｇ＋Ｖｓｃがバイアスされる。図１１Ａおよび１１Ｄに示されているように、次いで、アドレス電極Ａ１〜Ａｍにアドレス電圧パルスＶａｄｂが印加されている間に、ピクセルｐ１〜ｐｎの青色セル用のＹ電極Ｙ１ｂ〜Ｙｎｂに走査電圧パルス−Ｖｙｂが順次印加される。その間、Ｙ電極Ｙ１ｂ〜Ｙｎｂ中の残りの電極には、負電位−Ｖｙｂ＋Ｖｓｃがバイアスされる。この場合、赤、緑、青用の走査電圧パルス−Ｖｙｒ，−Ｖｙｇ，−Ｖｙｂは、等しいパルス幅Ｔｙｗを有し、例えば、接地電位ＧＮＤに対する−Ｖｙｒ＞−Ｖｙｂ＞−Ｖｙｇの負電位の大小関係、即ち｜−Ｖｙｒ｜＜｜−Ｖｙｂ｜＜｜−Ｖｙｇ｜の電圧絶対値の大小関係を有する。走査電圧パルス−Ｖｙｒ，−Ｖｙｇ，−Ｖｙｂは、等しい高さＶｓｃを有する。アドレス電圧パルスＶａｄｒ，Ｖａｄｇ，Ｖａｄｂも、パルス幅Ｔｙｗを有する。例えば、−Ｖｙｒ＝−２７０Ｖ、−Ｖｙｇ＝−３００Ｖ、−Ｖｙｂ＝−２９０Ｖ、Ｖｓｃ＝１２０Ｖ、Ｔｙｗ＝１．３μｓである。これによって、緑色のセルのアドレス放電確率を向上させることができる。【００５０】
この例では、赤、緑、青用の走査電圧パルス−Ｖｙｒ，−Ｖｙｇ，−Ｖｙｂは、等しい高さＶｓｃを有する。代替構成として、Ｙ電極Ｙ１ｒ〜Ｙｎｒ，Ｙ１ｇ〜Ｙｎｇ，Ｙ１ｂ〜Ｙｎｂに印加される赤、緑、青用の走査電圧パルス−Ｖｙｒ，−Ｖｙｇ，−Ｖｙｂは、接地電位ＧＮＤに対して互いに異なる電位を有するように互いに異なる高さＶｓｃｒ，Ｖｓｃｇ，Ｖｓｃｂを有し、残りの非選択電極に等しい負電位−Ｖｙｒ＋Ｖｓｃｒ，−Ｖｙｇ＋Ｖｓｃｇ，−Ｖｙｂ＋Ｖｓｃｂがバイアスされるようにしてもよい。【００５１】
図１２Ａ〜１２Ｄは、ぞれぞれ、図９におけるアドレス電極ドライバ回路４６のＡ電極Ａｉ用のアドレス電圧パルス、およびＹ電極ドライバ回路７００のＹ電極Ｙｊｒ，Ｙｊｇ，Ｙｊｂ用の走査電圧パルス−Ｖｙｒ，−Ｖｙｇ，−Ｖｙｂの第３の例を示している。【００５２】
図１２Ａおよび１２Ｂに示されているように、先ず、アドレス電極Ａ１〜Ａｍにアドレス電圧パルスＶａｄｇが印加されている間に、ピクセルｐ１〜ｐｎの緑色セル用のＹ電極Ｙ１ｇ〜Ｙｎｇに走査電圧パルス−Ｖｙｇが順次印加される。図１２Ａおよび１２Ｃに示されているように、次いで、アドレス電極Ａ１〜Ａｍにアドレス電圧パルスＶａｄｂが印加されている間に、ピクセルｐ１〜ｐｎの青色セル用のＹ電極Ｙ１ｂ〜Ｙｎｂに走査電圧パルス−Ｖｙｂが順次印加される。図１２Ａおよび１２Ｄに示されているように、次いで、アドレス電極Ａ１〜Ａｍにアドレス電圧パルスＶａｄｒが印加されている間に、ピクセルｐ１〜ｐｎの赤色セル用のＹ電極Ｙ１ｒ〜Ｙｎｒに走査電圧パルス−Ｖｙｒが順次印加される。この場合、赤、緑、青用の走査電圧パルス−Ｖｙｒ，−Ｖｙｇ，−Ｖｙｂは、等しいパルス幅Ｔｙｗを有し、等しい高さＶｓｃを有する。アドレス電圧パルスＶａｄｒ，Ｖａｄｇ，Ｖａｄｂも、パルス幅Ｔｙｗを有する。例えば、−Ｖｙｒ＝−Ｖｙｇ＝−Ｖｙｂ＝−２７０Ｖ、Ｖｓｃ＝１２０Ｖ、Ｖｙｗ＝１．３μｓである。リセット期間ＴＲの後、時間の経過とともにリセット放電によるプライミング効果が弱くなるので、アドレス放電しにくい緑色セル用のＹ電極Ｙ１ｇ〜Ｙｎｇに走査電圧パルス−Ｖｙｇを先に印加し、アドレス放電しやすい赤色セル用のＹ電極Ｙ１ｒ〜Ｙｎｒに走査電圧パルス−Ｖｙｒを最後に印加することによって、緑色のセルのアドレス放電確率を向上させることができる。【００５３】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく、実施形態の種々の変形を行えることは明らかである。
【図面の簡単な説明】
【００５４】
【図１】図１は、本発明の実施形態において用いられるプラズマ・チューブまたはガス放電管のアレイの概略的な部分的構造を例示している。
【図２】図２Ａは、透明な複数の表示電極対が形成された前面側支持基板を示している。図２Ｂは、複数の信号電極または信号電極が形成された背面側支持基板を示している。
【図３】図３は、表示装置のプラズマ・チューブ・アレイの管の長手方向に垂直な断面の構造を示している。
【図４】図４は、本発明の実施形態で用いられるプラズマ・チューブ・アレイの正面から見た支持部材における３原色の蛍光体層および表示電極対の配置を示している。
【図５】図５は、本発明の実施形態で用いられる別のプラズマ・チューブ・アレイの正面から見た支持部材における３原色の蛍光体層および表示電極対の配置を示している。
【図６】図６は、本発明の実施形態で用いられる別のプラズマ・チューブ・アレイの正面から見た支持部材における３原色の蛍光体層および表示電極対の配置を示している。
【図７】図７は、図４〜６のプラズマ・チューブ・アレイを有する表示装置１０のプラズマ・チューブ・アレイの背面に配置されたＸ電極ドライバ回路基板、Ｙ電極ドライバ回路、アドレス電極ドライバ回路およびドライバ制御回路の電気的接続を示している。
【図８】図８は、１つのセルにおけるＡ電極、Ｘ電極およびＹ電極の間の実効電圧を示している。
【図９】図９は、本発明の実施形態による、表示装置における、Ｘ電極ドライバ回路基板、Ｙ電極ドライバ回路およびアドレス・ドライバ回路の出力駆動電圧波形の概略的な駆動シーケンスを例示している。
【図１０】図１０Ａ〜１０Ｄは、ぞれぞれ、図９におけるアドレス電極ドライバ回路のＡ電極用のアドレス電圧パルス、およびＹ電極ドライバ回路のＹ電極用の走査電圧パルスの第１の例を示している。
【図１１】図１１Ａ〜１１Ｄは、ぞれぞれ、図９におけるアドレス電極ドライバ回路のＡ電極用のアドレス電圧パルス、およびＹ電極ドライバ回路のＹ電極用の走査電圧パルスの第２の例を示している。
【図１２】図１２Ａ〜１２Ｄは、ぞれぞれ、図９におけるアドレス電極ドライバ回路のＡ電極用のアドレス電圧パルス、およびＹ電極ドライバ回路のＹ電極用の走査電圧パルスの第３の例を示している。
【図１】
2007148389.tif 000003
【図２】
2007148389.tif 000004
【図３】
2007148389.tif 000005
【図４】
2007148389.tif 000006
【図５】
2007148389.tif 000007
【図６】
2007148389.tif 000008
【図７】
2007148389.tif 000009
【図８】
2007148389.tif 000010
【図９】
2007148389.tif 000011
【図１０】
2007148389.tif 000012
【図１１】
2007148389.tif 000013
【図１２】
2007148389.tif 000014
【国際調査報告】
2007148389.tif 000015
2007148389.tif 000016
2007148389.tif 000017
2007148389.tif 000018